(57)【要約】【課題】電子ペーパーのような反射型の表示部材に、書き換え応答性の高い透明な表示部材を重ね合わせた表示装置に対し、動画の表示やアニメーションの表示、またはＧＵＩ等のインタラクティブな表現を高コントラストに表示する表示制御装置を提供する。【解決手段】反射型の第１表示部材及び前記第１表示部材の表示面に重畳して設けられる、前記第１表示部材の表示を透過可能な自発光型の第２表示部材の表示を制御する表示制御部を備え、前記表示制御部は、所定の情報を前記第１表示部材及び前記第２表示部材へ表示させる際に、前記第２表示部材が情報を表示する領域に対応する領域で前記第１表示部材に対して、または前記第１表示部材が情報を表示する領域に対応する領域で前記第２表示部材に対して所定の表示制御を行う、表示制御装置が提供される。【選択図】図１
2013015779.tif 000002
【特許請求の範囲】
【請求項１】
反射型の第１表示部材及び前記第１表示部材の表示面に重畳して設けられる、前記第１表示部材と比較して書き換え応答性が高い、前記第１表示部材の表示を透過可能な自発光型の第２表示部材の表示を制御する表示制御部を備え、
前記表示制御部は、所定の情報を前記第１表示部材及び前記第２表示部材へ表示させる際に、前記第２表示部材が情報を表示する領域に対応する領域で前記第１表示部材に対して、または前記第１表示部材が情報を表示する領域に対応する領域で前記第２表示部材に対して所定の表示制御を行う、表示制御装置。
【請求項２】
前記表示制御部は、前記第１表示部材に対する所定の表示制御として、前記第２表示部材が情報を表示する領域に対応する領域で前記第１表示部材を所定の反射状態より低い状態で表示する制御を行う、請求項１に記載の表示制御装置。
【請求項３】
前記表示制御部は、前記第２表示部材に対する所定の表示制御として、前記第２表示部材が情報を表示する領域に対応する領域で前記第１部材に表示されている情報に基づいて表示制御を行う、請求項１に記載の表示制御装置。
【請求項４】
前記表示制御部は、前記第２表示部材が情報を表示する領域と、当該領域に対応する前記第１部材が情報を表示する領域とで同一の情報が表示されていることに基づいて、前記第２表示部材に対して表示制御を行う、請求項３に記載の表示制御装置。
【請求項５】
前記表示制御部は、前記第２表示部材が情報を表示する領域と、当該領域に対応する前記第１部材が情報を表示する領域とで異なる情報が表示されていることに基づいて、前記第２表示部材に対して表示制御を行う、請求項３に記載の表示制御装置。
【請求項６】
前記表示制御部は、前記第２表示部材に対する所定の表示制御として、前記第２部材に情報が表示されていない領域に対応する領域全体の輝度を落として表示する制御を行う、請求項１に記載の表示制御装置。
【請求項７】
前記表示制御部は、前記第２表示部材に対する所定の表示制御として、前記第１部材へ情報を表示する際に前記第１部材の情報の書き換えが完了する時間に応じて輝度を下げていく輝度制御を行う、請求項１に記載の表示制御装置。
【請求項８】
前記対応する領域は、前記第１表示部材及び前記第２表示部材が重畳した状態で前記第１表示部材及び前記第２表示部材を垂直に見た際に互いに重なっている領域を有する、請求項１に記載の表示制御装置。
【請求項９】
前記第１表示部材と前記第２表示部材とは同じ大きさを有する、請求項１に記載の表示制御装置。
【請求項１０】
反射型の第１表示部材及び前記第１表示部材の表示面に重畳して設けられる、前記第１表示部材と比較して書き換え応答性が高い、前記第１表示部材の表示を透過可能な自発光型の第２表示部材の表示を制御する表示制御ステップを備え、
前記表示制御ステップは、所定の情報を前記第２表示部材へ表示させる際に、前記第２表示部材が情報を表示する領域に対応する領域で前記第１表示部材に対して所定の表示制御を行う、表示制御方法。
【請求項１１】
コンピュータに、反射型の第１表示部材及び前記第１表示部材の表示面に重畳して設けられる、前記第１表示部材と比較して書き換え応答性が高い、前記第１表示部材の表示を透過可能な自発光型の第２表示部材を備える表示装置に対して所定の情報を前記第２表示部材へ表示させる際に、前記第２表示部材が情報を表示する領域に対応する領域で前記第１表示部材に対して所定の表示制御を行う表示制御ステップを実行させる、コンピュータプログラム。
【発明の詳細な説明】
【技術分野】
【０００１】
本開示は、表示制御装置、表示制御方法及びコンピュータプログラムに関する。
【背景技術】
【０００２】
近年、電子ペーパーと呼ばれる情報媒体が注目を浴びつつある（例えば、特許文献１，２参照）。この電子ペーパーは、低消費電力性、曲げ可能なフレキシブル性を有し、また薄くて軽く、視認性も高いといった優れた特性を有している。さらに、電子ペーパーは書き換え可能という際立った特長を有している。
【０００３】
上述した電子ペーパーは、一旦表示した画像はエネルギーを消費することなく保持することが可能である。従って、電子ペーパーはポスター、電車の車内広告、バッテリー容量の残量等を示すインジケータ、行き先を示す案内板といった限定された画像を表示する用途に適用することが可能である。また近年では、電子書籍を表示する電子端末への適用も進んでいる。
【先行技術文献】
【特許文献】
【０００４】
【特許文献１】特開２００８−１９７６３４号公報
【発明の概要】
【発明が解決しようとする課題】
【０００５】
上述したような電子ペーパーは書き換え応答性が低く、動画やアニメーションの表示、またはＧＵＩ等のインタラクティブな表現には不向きであるという問題があった。そこで、上記特許文献１には、電子ペーパーのような低電力で動作する紙状のディスプレイの上に透明なディスプレイが重ねられ、静的な画像を紙状のディスプレイに、動的な映像を透明なディスプレイに表示する技術が開示されている。
【０００６】
しかし、上記特許文献１では、紙状のディスプレイの上に重ねられた透明なディスプレイで映像を表示する際の制御については、何ら触れられていない。特に、透明なディスプレイとして有機発光ダイオード（Ｏｒｇａｎｉｃ  ｌｉｇｈｔ−ｅｍｉｔｔｉｎｇ  ｄｉｏｄｅ；ＯＬＥＤ）ディスプレイを用いると、ＯＬＥＤは黒色を表示することができないので、高コントラスト表示に向かない。
【０００７】
そこで、本開示は、上記問題に鑑みてなされたものであり、本開示の目的とするところは、電子ペーパーのような書き換え応答性に劣る反射型の表示部材に、書き換え応答性の高い透明な表示部材を重ね合わせた表示装置に対し、動画の表示やアニメーションの表示、またはＧＵＩ（Ｇｒａｐｈｉｃａｌ  Ｕｓｅｒ  Ｉｎｔｅｒｆａｃｅ）等のインタラクティブな表現を高コントラストに表示する、新規かつ改良された表示制御装置、表示制御方法及びコンピュータプログラムを提供することにある。
【課題を解決するための手段】
【０００８】
本開示によれば、シート状の第１表示部材及び前記第１表示部材の表示面に重畳して設けられる、前記第１表示部材の表示を透過可能な自発光型の第２表示部材の表示を制御する表示制御部を備え、前記表示制御部は、所定の情報を前記第１表示部材及び前記第２表示部材へ表示させる際に、前記第２表示部材が情報を表示する領域に対応する領域で前記第１表示部材に対して、または前記第１表示部材が情報を表示する領域に対応する領域で前記第２表示部材に対して所定の表示制御を行う、表示制御装置が提供される。
【０００９】
本開示によれば、表示制御部は、シート状の第１表示部材及び前記第１表示部材の表示面に重畳して設けられる、前記第１表示部材の表示を透過可能な自発光型の第２表示部材の表示を制御する。制御に際し、表示制御部は、所定の情報を前記第１表示部材及び前記第２表示部材へ表示する際に、前記第２表示部材が情報を表示する領域に対応する領域で前記第１表示部材に対して、または前記第１表示部材が情報を表示する領域に対応する領域で前記第２表示部材に対して所定の表示制御を行う。これにより、書き換え応答性に劣る反射型の表示部材に、書き換え応答性の高い、該反射型の表示部材の表示を透過可能な表示部材を重ね合わせた表示装置に対し、動画の表示やアニメーションの表示、またはＧＵＩ等のインタラクティブな表現を高コントラストに表示することができる。
【００１０】
また、本開示によれば、シート状の第１表示部材及び前記第１表示部材の表示面に重畳して設けられる、前記第１表示部材の表示を透過可能な自発光型の第２表示部材の表示を制御する表示制御ステップを備え、前記表示制御ステップは、所定の情報を前記第２表示部材へ表示する際に、前記第２表示部材が情報を表示する領域に対応する領域で前記第１表示部材に対して所定の表示制御を行う、表示制御方法が提供される。
【００１１】
また、本開示によれば、コンピュータに、シート状の第１表示部材及び前記第１表示部材の表示面に重畳して設けられる、前記第１表示部材の表示を透過可能な自発光型の第２表示部材を備える表示装置に対して所定の情報を前記第２表示部材へ表示する際に、前記第２表示部材が情報を表示する領域に対応する領域で前記第１表示部材に対して所定の表示制御を行う表示制御ステップを実行させる、コンピュータプログラムが提供される。
【発明の効果】
【００１２】
以上説明したように本開示によれば、電子ペーパーのような可撓性を有する表示部材に、書き換え応答性の高い透明な表示部材を重ね合わせることで、動画の表示やアニメーションの表示、またはＧＵＩ等のインタラクティブな表現を高コントラストに表示する、新規かつ改良された表示制御装置、表示制御方法及びコンピュータプログラムを提供することができる。
【図面の簡単な説明】
【００１３】
【図１】本開示の一実施形態に係る表示装置１００の外観を示す説明図である。
【図２】本開示の一実施形態にかかる表示装置１００の機能構成を示す説明図である。
【図３】電子ペーパー１２２と透明ディスプレイ１２４との積層状態を斜視図で示す説明図である。
【図４】本開示の一実施形態にかかる表示装置１００の動作を示す流れ図である。
【図５】表示部１２０に表示しようとする情報の一例を示す説明図である。
【図６Ａ】図５に示した情報Ａ１を電子ペーパー１２２に表示する際の表示例を示す説明図である。
【図６Ｂ】図５に示した情報Ａ１を透明ディスプレイ１２４に表示する際の表示例を示す説明図である。
【図７】本開示の一実施形態に係る表示装置１００及び表示装置１００の表示部１２０に表示される画面の例を示す説明図である。
【図８】透明ディスプレイ１２４の表示例を示す説明図である。
【図９Ａ】電子ペーパー１２２の表示例を示す説明図である。
【図９Ｂ】透明ディスプレイ１２４の表示例を示す説明図である。
【図１０Ａ】電子ペーパー１２２の表示例を示す説明図である。
【図１０Ｂ】透明ディスプレイ１２４の表示例を示す説明図である。
【図１１】電子ペーパー１２２及び透明ディスプレイ１２４の輝度制御の一例を示す説明図である。
【発明を実施するための形態】
【００１４】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１５】
なお、説明は以下の順序で行うものとする。
＜１．本開示の一実施形態＞
［１−１．表示装置の外観］
［１−２．表示装置の機能構成］
［１−３．表示装置の動作］
＜２．まとめ＞
【００１６】
＜１．本開示の一実施形態＞
［１−１．表示装置の外観］
まず、本開示の一実施形態に係る表示装置の外観について説明する。図１は、本開示の一実施形態に係る表示装置１００の外観を示す説明図である。以下、図１を用いて本開示の一実施形態に係る表示装置１００の外観について説明する。
【００１７】
図１に示したように、本開示の一実施形態に係る表示装置１００は、いわゆるタブレット型の表示装置であり、表示装置１００を保護するための筐体１１０と、文字、画像その他のコンテンツを表示する表示部１２０と、を含んで構成される。
【００１８】
本開示の一実施形態に係る表示装置１００に設けられる表示部１２０は、反射型のシート状の表示デバイスである電子ペーパーと、ディスプレイの背面側が透けて見える表示デバイスである透明ディスプレイとが密着して重ねられた構成を有する。
【００１９】
透明ディスプレイは、ディスプレイ上に情報が表示される状態（表示オン状態）とディスプレイの背面側が透けて見える状態（表示オフ状態）を取り得るものである。そして、画面に図形、文字等の情報を表示しつつ、ディスプレイの背景が透けて見える透明ディスプレイを備える表示装置が開発されている。
【００２０】
本実施形態では、内部にＯＬＥＤ（有機発光ダイオード）を備える透明な有機ＥＬディスプレイを用いている。透明な有機ＥＬディスプレイを適用すると、他方式の透明ディスプレイに比べて、良好な色再現性や視野角による視認性、動画への応答性に優れ、高画質表示が可能となる。また、透明な有機ＥＬディスプレイを適用すると、他方式の透明ディスプレイに比べて、薄型・軽量であり、かつ低消費電力の表示装置が実現可能となる。さらに、透明な有機ＥＬディスプレイは、部分駆動及び低電圧での駆動が可能で、すなわち消費電力を低く抑えることができる。
【００２１】
本実施形態では、このような外観を有する表示装置１００において、表示部１２０への情報の表示を制御することで、電子ペーパーと透明ディスプレイの両方の表示デバイスの長所を生かし、さらに両方の表示デバイスの弱点を補った情報の表示について、以下で例を挙げながら説明する。
【００２２】
以上、図１を用いて本開示の一実施形態に係る表示装置１００の外観について説明した。次に、本開示の一実施形態に係る表示装置１００の機能構成について説明する。
【００２３】
［１−２．表示装置の機能構成］
図２は、本開示の一実施形態にかかる表示装置１００の機能構成を示す説明図である。以下、図２を用いて本開示の一実施形態にかかる表示装置１００の機能構成について説明する。
【００２４】
図２に示したように、本開示の一実施形態にかかる表示装置１００は、電子ペーパー１２２及び透明ディスプレイ１２４からなる表示部１２０と、音声出力部１３０と、制御部１４０と、記憶部１５０と、操作部１６０と、通信部１７０と、を含んで構成される。
【００２５】
電子ペーパー１２２は、本開示の第１表示部材の一例であり、反射型のシート状の表示デバイスである。なお、電子ペーパー１２２は可撓性を有していてもよい。電子ペーパー１２２は、制御部１４０からの信号に応じて情報を表示することが可能なように構成されている。
【００２６】
透明ディスプレイ１２４は、ディスプレイ上に情報が表示される表示オン状態と、ディスプレイの背面側が透けて見える表示オフ状態を取りうる表示デバイスである。透明ディスプレイ１２４は、ディスプレイ上に情報が表示される表示オン状態であっても、情報が表示されていない領域はディスプレイの背面側が透けて見えるよう構成されている。
【００２７】
表示部１２０を構成する電子ペーパー１２２及び透明ディスプレイ１２４の表示は、後述する制御部１４０によって制御される。制御部１４０による、電子ペーパー１２２及び透明ディスプレイ１２４の表示制御については、後に詳述する。
【００２８】
本実施形態では、電子ペーパー１２２と透明ディスプレイ１２４とが積層された状態で表示部１２０が構成される。すなわち、本実施形態では、電子ペーパー１２２の表示面の上に透明ディスプレイ１２４が積層された状態で表示部１２０が構成される。ユーザは、透明ディスプレイ１２４が表示オフ状態であっても電子ペーパー１２２に表示された情報を、表示オフ状態であり、透明な状態の透明ディスプレイ１２４を通して見ることができる。また、透明ディスプレイ１２４の一部に情報を表示することで、ユーザは、電子ペーパー１２２に表示された情報を、透明ディスプレイ１２４の情報が表示されていない透明な領域を通して見ることができる。
【００２９】
電子ペーパー１２２は、一旦表示した画像はエネルギーを消費することなく保持することが可能であるので、消費電力を抑えた情報の表示に適したデバイスである。しかし、上述したように、電子ペーパー１２２は、書き換え応答性が低く、動画やアニメーションの表示、またはＧＵＩ等のインタラクティブな表現には不向きであるという問題がある。
【００３０】
本実施形態では、電子ペーパー１２２の表示面に透明ディスプレイ１２４を重畳し、高い書き換え応答性が求められる情報（例えば動画やＧＵＩ）は透明ディスプレイ１２４で、高い書き換え応答性が求められない情報（例えば文字情報）は電子ペーパー１２２で表示させる。
【００３１】
ここで、自発光型の透明ディスプレイ１２４は、その原理上、黒色を表現することが困難であるという問題がある。従って、透明ディスプレイ１２４単体では、黒色の表現が困難であることから、高コントラストの情報の表示には適さない。
【００３２】
そこで、本実施形態にかかる表示装置１００では、上述のように、高い書き換え応答性が求められる情報を透明ディスプレイ１２４で、高い書き換え応答性が求められない情報を電子ペーパー１２２で表示する際に、透明ディスプレイ１２４で情報を表示する領域に対応する電子ペーパー１２２の領域を黒表示する。これにより、透明ディスプレイ１２４単体では表現できなかった高コントラストの情報の表示を実現できる。
【００３３】
図３は、電子ペーパー１２２と透明ディスプレイ１２４との積層状態を斜視図で示す説明図である。図３では、説明の便宜上、電子ペーパー１２２と透明ディスプレイ１２４とは離して図示している。本実施形態では、図３に示したように、電子ペーパー１２２と透明ディスプレイ１２４とは、同じ大きさであるが、本開示では、電子ペーパー１２２と透明ディスプレイ１２４とは異なる大きさであってもよい。
【００３４】
本実施形態では、図３に示したように、電子ペーパー１２２における画像情報が表示されている領域に対応する透明ディスプレイ１２４の領域に所定の情報を、制御部１４０の制御により表示する。上記対応する領域は、電子ペーパー１２２及び透明ディスプレイ１２４が重畳した状態で電子ペーパー１２２及び透明ディスプレイ１２４を垂直に見た際に互いに重なっている領域を有していてもよい。制御部１４０は、電子ペーパー１２２及び透明ディスプレイ１２４に対してかかる表示制御を実行することで、本実施形態に係る表示装置１００は、電子ペーパー１２２と透明ディスプレイ１２４の両方の表示デバイスの長所を生かし、さらに両方の表示デバイスの弱点を補って、情報を表示することができる。
【００３５】
音声出力部１３０は、例えばスピーカやヘッドホン端子等で構成され、音声信号に基づいて音声を出力するよう構成されるものである。音声出力部１３０からの音声の出力は制御部１４０によって制御される。
【００３６】
制御部１４０は、表示装置１００の動作を制御するよう構成されるものであり、例えばＣＰＵ（Ｃｅｎｔｒａｌ  Ｐｒｏｃｅｓｓｉｎｇ  Ｕｎｉｔ）等で構成される。本実施形態では、制御部１４０は、例えば、表示部１２０への情報の表示の制御、音声出力部１３０からの音声の出力制御、操作部１６０を用いたユーザの入力操作に応じた制御を実行する。
【００３７】
本実施形態では、制御部１４０は、特に、所定の情報を電子ペーパー１２２及び透明ディスプレイ１２４へ表示する際に、透明ディスプレイ１２４が情報を表示する領域に対応する領域で電子ペーパー１２２に対して、または電子ペーパー１２２が情報を表示する領域に対応する領域で透明ディスプレイ１２４に対して、所定の表示制御を実行する。制御部１４０による、電子ペーパー１２２及び透明ディスプレイ１２４に対する表示制御については、後に詳述する。
【００３８】
記憶部１５０は、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）等で構成され、制御部１４０による各種制御に用いられるコンピュータプログラムや、当該コンピュータプログラムの実行時に生成される各種データが記憶されるものである。記憶部１５０に読み出されたコンピュータプログラムは制御部１４０によって読み出され、順次実行される。
【００３９】
操作部１６０は、表示装置１００のユーザによる表示装置１００に対する操作を受け付けるものである。操作部１６０は、例えばハードキーボードやカーソル、ボタン等で構成されてもよく、さらにはタッチパネルで構成されてもよい。タッチパネルを設ける場合は、透明ディスプレイ１２４の電子ペーパー１２２側と反対側の面にタッチパネルを設ける。透明ディスプレイ１２４にタッチパネルを設けることで表示装置１００のユーザは画面を触ることで表示装置１００の操作が可能になる。
【００４０】
通信部１７０は、表示装置１００とネットワークを通じて接続されている装置との間の通信処理を実行するデバイスで構成される。表示装置１００は、通信部１７０を介して、ネットワークを通じて接続されている装置との間で通信を実行することで、例えばコンテンツを当該装置から取得して、そのコンテンツを表示部１２０に表示することができる。
【００４１】
以上、図２を用いて本開示の一実施形態にかかる表示装置１００の機能構成について説明した。次に、本開示の一実施形態にかかる表示装置１００の動作について説明する。
【００４２】
［１−３．表示装置の動作］
図４は、本開示の一実施形態にかかる表示装置１００の動作を示す流れ図である。図４に示した流れ図は、表示装置１００の表示部１２０に情報を表示する際の、表示装置１００の動作を示したものである。以下、図４を用いて本開示の一実施形態にかかる表示装置１００の動作について説明する。
【００４３】
表示部１２０に情報を表示する際には、まず制御部１４０が、表示部１２０に表示する情報を分析する（ステップＳ１０１）、この制御部１４０による情報の分析は、例えば、表示部１２０のどの領域に、動画像やＧＵＩ等の高い書き換え応答性が要求される情報が表示されるか、または、テキストデータ等の書き換え応答性が求められない情報が表示されるかの分析であってもよい。
【００４４】
例えば、表示部１２０に表示しようとする情報がＨＴＭＬ（ＨｙｐｅｒＴｅｘｔ  Ｍａｒｋｕｐ  Ｌａｎｇｕａｇｅ）で記述されたものであれば、制御部１４０は、どの位置にどのような情報が表示されるかは、表示前に予め把握することができる。または、文字入力のためのＯＳＫ（Ｏｎ  Ｓｃｒｅｅｎ  Ｋｅｙｂｏｒｄ。画面上に表示されるキーボード）を表示部１２０に表示しようとする場合も、制御部１４０は、どの位置にＯＳＫを表示すべきかを予め把握することができる。
【００４５】
上記ステップＳ１０１で、制御部１４０が、表示部１２０に表示する情報を分析すると、制御部１４０は、表示部１２０を構成する電子ペーパー１２２及び透明ディスプレイ１２４のそれぞれに表示する内容を決定する（ステップＳ１０２）。すなわち、動画像やＧＵＩ等の高い書き換え応答性が要求される情報は、電子ペーパー１２２と比較して書き換え応答性が高い透明ディスプレイ１２４に、それ以外の、テキストデータ等の書き換え応答性が求められない情報は、透明ディスプレイ１２４と比較して書き換え応答性に劣る電子ペーパー１２２に表示するように、制御部１４０は電子ペーパー１２２及び透明ディスプレイ１２４のそれぞれに表示する内容を決定する。
【００４６】
上記ステップＳ１０２で、制御部１４０が、電子ペーパー１２２及び透明ディスプレイ１２４のそれぞれに表示する内容を決定すると、制御部１４０は、表示する内容に基づいて表示データを作成し、電子ペーパー１２２及び透明ディスプレイ１２４に対し、伝送する（ステップＳ１０３）。
【００４７】
上記ステップ１０３で、制御部１４０が電子ペーパー１２２及び透明ディスプレイ１２４に対し、表示データを伝送すると、電子ペーパー１２２及び透明ディスプレイ１２４は、制御部１４０から伝送された表示データに基づいて情報を表示する（ステップＳ１０４）。
【００４８】
このように、本開示の一実施形態にかかる表示装置１００は、制御部１４０が、表示部１２０に表示する情報を分析して、電子ペーパー１２２及び透明ディスプレイ１２４に表示する内容を決定して表示データを作成及び伝送する。そして、電子ペーパー１２２及び透明ディスプレイ１２４が、制御部１４０から伝送される表示データに基づいて情報を表示する。
【００４９】
本開示の一実施形態にかかる表示装置１００は、このように表示部１２０への表示を制御することで、表示部１２０を構成する電子ペーパー１２２及び透明ディスプレイ１２４のそれぞれの長所を生かした、また弱点を補った情報の表示が可能になる。
【００５０】
以上、図４を用いて本開示の一実施形態にかかる表示装置１００の動作について説明した。続いて、制御部１４０による具体的な電子ペーパー１２２及び透明ディスプレイ１２４に対する表示制御について、いくつか例示して説明する。
【００５１】
図５は、表示部１２０に表示しようとする情報の一例を示す説明図である。図５には、表示部１２０に表示しようとする情報として情報Ａ１が図示されている。この情報Ａ１は、動画像が表示される領域Ｂ１、Ｂ２、Ｂ３を含んでいる。なお、図５における、領域Ｂ１、Ｂ２、Ｂ３を囲む破線は説明の便宜上付したものであり、情報Ａ１にはこれらの破線は表示されない。
【００５２】
領域Ｂ１、Ｂ２、Ｂ３で表示される動画像の表示に際しては、高い書き換え応答性が求められる。従って、制御部１４０は、領域Ｂ１、Ｂ２、Ｂ３に表示される情報については透明ディスプレイ１２４で、それ以外の情報については電子ペーパー１２２で表示させるように表示を分担させる。
【００５３】
図６Ａ及び図６Ｂは、図５に示した情報Ａ１を電子ペーパー１２２及び透明ディスプレイ１２４に表示する際の表示例を示す説明図である。図６Ａ及び図６Ｂは、制御部１４０によって表示が制御される、電子ペーパー１２２及び透明ディスプレイ１２４の表示例を示したものである。
【００５４】
図６Ａは、制御部１４０によって文字情報のみを表示するよう制御された電子ペーパー１２２の表示例を示したものである。また、図６Ａに示したように、図５における領域Ｂ１、Ｂ２、Ｂ３にそれぞれ対応する領域Ｃ１、Ｃ２、Ｃ３は、制御部１４０によって黒表示、または暗色表示するよう制御されている。これは、図５における領域Ｂ１、Ｂ２、Ｂ３で表示される動画像を透明ディスプレイ１２４で表示する際の背景となるものである。
【００５５】
図６Ｂは、制御部１４０によって、領域Ｂ１、Ｂ２、Ｂ３に表示される動画のみを表示するよう制御された透明ディスプレイ１２４の表示例を示したものである。図６Ｂに示したように、透明ディスプレイ１２４は、図５における領域Ｂ１、Ｂ２、Ｂ３にそれぞれ対応する領域Ｄ１、Ｄ２、Ｄ３に、領域Ｂ１、Ｂ２、Ｂ３で表示される動画像をそれぞれ表示するように、制御部１４０によって制御される。
【００５６】
そして、透明ディスプレイ１２４の領域Ｄ１、Ｄ２、Ｄ３で動画像を表示する際には、電子ペーパー１２２の領域Ｃ１、Ｃ２、Ｃ３が黒表示されているので、単に透明ディスプレイ１２４に動画像を表示した場合と比較して高いコントラストの画像を表示することができる。
【００５７】
このように、図５に示した情報Ａ１の内、高い書き換え応答性が要求される、領域Ｂ１、Ｂ２、Ｂ３で表示される動画像については、電子ペーパー１２２と比較して書き換え応答性が高い透明ディスプレイ１２４で、それ以外の情報については、透明ディスプレイ１２４と比較して書き換え応答性に劣る電子ペーパー１２２で表示するよう、制御部１４０が制御する。表示装置１００は、このように表示を電子ペーパー１２２及び透明ディスプレイ１２４で分担することで、それぞれのディスプレイの長所を生かした、また短所を補った表示を行うことができる。
【００５８】
制御部１４０による、電子ペーパー１２２及び透明ディスプレイ１２４に対する表示制御の別の例を示す。図７は、本開示の一実施形態に係る表示装置１００及び表示装置１００の表示部１２０に表示される画面の例を示す説明図である。
【００５９】
図７は、表示装置１００の表示部１２０に、オンスクリーンキーボードを表示する領域Ｅ１が表示されている状態を図示したものである。このオンスクリーンキーボードは、表示装置１００のユーザが手Ｈを使って表示部１２０を触ることで、表示装置１００のユーザに文字入力を可能にさせるユーザインタフェースである。なお、図７における、領域Ｅ１を囲む破線は説明の便宜上付したものであり、表示部１２０にはこの破線は表示されない。
【００６０】
領域Ｅ１に表示されるオンスクリーンキーボードは、ユーザがオンスクリーンキーボードをタッチすると、タッチした文字を分かりやすくするために、ユーザがタッチした文字を拡大して表示する機能を有する。この拡大表示は、ユーザがオンスクリーンキーボードをタッチしている間は継続して行われ、ユーザがオンスクリーンキーボードから指を離すと画面から消去される。
【００６１】
従って、この領域Ｅ１に表示されるオンスクリーンキーボードも、高い書き換え応答性が要求される情報といえる。そこで、このオンスクリーンキーボードは透明ディスプレイ１２４に表示することで、表示装置１００は、オンスクリーンキーボードの操作性が損なわれること無く、情報を低消費電力で表示することができる。
【００６２】
図８は、透明ディスプレイ１２４の表示例を示す説明図である。図８は、図７に示した、領域Ｅ１に表示されるオンスクリーンキーボードのみが、制御部１４０の制御によって、透明ディスプレイ１２４に表示されている状態を示したものである。
【００６３】
このように制御部１４０が表示を制御することで、表示装置１００は、電子ペーパー１２２で情報を表示しつつ、高い書き換え応答性が要求されるオンスクリーンキーボードを透明ディスプレイ１２４に表示させて、オンスクリーンキーボードの操作性が損なわれること無く低消費電力での情報の表示を実現できる。
【００６４】
図８のように、オンスクリーンキーボードを透明ディスプレイ１２４に表示させる場合は、透明ディスプレイ１２４の背後の電子ペーパー１２２の、領域Ｅ１に対応する領域の表示を、図６Ａに示したように黒表示、または暗色表示にしてもよい。
【００６５】
制御部１４０による、電子ペーパー１２２及び透明ディスプレイ１２４に対する表示制御の別の例を示す。電子ペーパー１２２及び透明ディスプレイ１２４は、制御部１４０の制御により、対応する同一の領域に異なる情報を表示することができるが、対応する同一の領域に同じ情報を表示することも出来る。
【００６６】
制御部１４０の制御により、電子ペーパー１２２及び透明ディスプレイ１２４のそれぞれに対し、対応する同一の領域に同じ情報を表示する場合は、制御部１４０は、電子ペーパー１２２に情報が表示されていることを前提として透明ディスプレイ１２４の表示を制御してもよい。電子ペーパー１２２に情報が表示されていることを前提とした透明ディスプレイ１２４の表示制御としては、例えば透明ディスプレイ１２４の輝度制御や色制御がある。
【００６７】
図９Ａ及び図９Ｂは、制御部１４０により表示が制御される、電子ペーパー１２２及び透明ディスプレイ１２４の表示例を示す説明図である。図９Ａは、制御部１４０により表示が制御される電子ペーパー１２２の表示例を示したものであり、文字情報及び画像情報が表示されている状態を示している。図９Ｂは、制御部１４０の制御により表示が制御される透明ディスプレイ１２４の表示例を示したものであり、画像情報のみが表示されている状態を示している。電子ペーパー１２２は、制御部１４０の制御により、図９Ａの領域Ｆ１に画像情報を表示し、図９Ｂは、制御部１４０の制御により、図９Ａの領域Ｆ１に対応する領域Ｇ１に画像情報を表示する。
【００６８】
このように、制御部１４０の制御により電子ペーパー１２２及び透明ディスプレイ１２４に情報が表示されている際に、制御部１４０は、電子ペーパー１２２に情報が表示されていることを考慮して透明ディスプレイ１２４の表示制御（輝度制御や色制御）を実行する。これにより、表示装置１００のユーザは、表示部１２０を見たときに違和感無く情報を見ることができる。また、電子ペーパー１２２は書き換え応答性が透明ディスプレイ１２４に比較すると低いので、電子ペーパー１２２の領域Ｆ１に画像を表示させたままにしておけば、制御部１４０は、動画の再生が終了した時点で透明ディスプレイ１２４の表示をオフにすることで、表示部１２０の表示状態は、動画再生前の元の状態にすぐ戻ることができる。
【００６９】
電子ペーパー１２２に情報が表示されていることを考慮した透明ディスプレイ１２４の表示制御は、電子ペーパー１２２と透明ディスプレイ１２４に同じ情報に基づく画像が表示されている場合に限られない。例えば、表示装置１００が表示部１２０で表示するコンテンツの中には、最初は静止画像として（あるいは単に動画を再生する再生ボタンを意味する画像を）表示しておき、ユーザが当該静止画像をタッチする等して選択すると、その静止画像に対応した動画像の再生が行われるものがある。
【００７０】
図１０Ａ及び図１０Ｂは、制御部１４０により表示が制御される、電子ペーパー１２２及び透明ディスプレイ１２４の表示例を示す説明図である。図１０Ａは、制御部１４０により表示が制御される電子ペーパー１２２の表示例を示したものであり、文字情報及び画像情報が表示されている状態を示している。図１０Ｂは、制御部１４０の制御により表示が制御される透明ディスプレイ１２４の表示例を示したものであり、画像情報のみが表示されている状態を示している。
【００７１】
図１０Ａの領域Ｆ１には、動画像を再生することが出来ることを示す再生マークが表示されている。従って、ユーザがこの領域を触ると（実際には、ユーザが電子ペーパー１２２に重ねて設けられている透明ディスプレイ１２４における領域Ｇ１を触ると）、制御部１４０は、そのユーザによる接触を検出し、透明ディスプレイ１２４で動画像を再生するように表示を制御する。
【００７２】
そして制御部１４０は、透明ディスプレイ１２４に対する表示制御として、電子ペーパー１２２の領域Ｆ１に再生マークが表示されていることを前提とした表示制御を行う。電子ペーパー１２２は書き換え応答性が低いので、電子ペーパー１２２の領域Ｆ１に再生マークを表示させたままにしておけば、制御部１４０は、動画の再生が終了した時点で透明ディスプレイ１２４の表示をオフにすることで、表示部１２０の表示状態は、動画再生前の元の状態にすぐ戻ることができる。
【００７３】
透明ディスプレイ１２４の表示をオフにして、表示を電子ペーパー１２２に切り替える際に、電子ペーパー１２２は書き換え応答性が低いので、所望の画像が電子ペーパー１２２に表示されるまでに時間がかかるという問題がある。この問題は、ユーザに対して表示が待たされるというストレスを与える場合がある。
【００７４】
そこで、制御部１４０は、透明ディスプレイ１２４に対して、時間を掛けて所定の時間までに所定の目標輝度まで輝度を下げていく表示制御を行ってもよい。これにより、表示部１２０の表示が透明ディスプレイ１２４から電子ペーパー１２２に切り替わる際に、ユーザに対して表示が待たされるように感じさせないような表示が実現できる。
【００７５】
図１１は、電子ペーパー１２２及び透明ディスプレイ１２４の輝度制御の一例をグラフで示す説明図である。図１１に示したグラフにおいて、縦軸は輝度、横軸は時間を表している。そして、符号Ｈ１で示した線は透明ディスプレイ１２４の輝度変化の一例を示しており、符号Ｈ２で示した線は電子ペーパー１２２の輝度変化の一例を示している。
【００７６】
時刻ｔ１において、透明ディスプレイ１２４による表示が終了したとする。ここで、透明ディスプレイ１２４の特性により、即座に輝度をｂ１から最低にすることも可能である。しかし、ここでは制御部１４０の制御により、透明ディスプレイ１２４の輝度をｂ１から徐々に下げていく。
【００７７】
その後、時刻ｔ１より後の時刻ｔ２において、電子ペーパー１２２の書き換え処理が開始される。電子ペーパー１２２は、一旦輝度を最高にしてから、その後所望の輝度まで下げることで情報の書き換えがされる。
【００７８】
そして、時刻ｔ２より後の時刻ｔ３において、電子ペーパー１２２の輝度が所望の輝度に達し、透明ディスプレイ１２４の輝度は最低となる。制御部１４０は、このように透明ディスプレイ１２４の輝度を制御することができる。制御部１４０が透明ディスプレイ１２４の輝度を図１１に示したように制御することで、表示部１２０の表示が透明ディスプレイ１２４から電子ペーパー１２２に切り替わる際に違和感なく表示を切り替えることができる。
【００７９】
もちろん、制御部１４０による透明ディスプレイ１２４の輝度制御はかかる例に限定されるものではない。図１１の例では、制御部１４０は、時刻ｔ３より前の時刻で透明ディスプレイ１２４の輝度が最低となるように制御してもよい。
【００８０】
以上、制御部１４０による具体的な電子ペーパー１２２及び透明ディスプレイ１２４に対する表示制御について、いくつか例示して説明した。もちろん、制御部１４０による電子ペーパー１２２及び透明ディスプレイ１２４に対する表示制御は、かかる例に限定されるものではない。表示部１２０に表示する内容に応じて、制御部１４０は、本開示の範囲内において、電子ペーパー１２２及び透明ディスプレイ１２４に対して適切な表示制御を行うことが可能であることは言うまでもない。
【００８１】
例えば、ページを切り替える際のアニメーション処理にも、制御部１４０は電子ペーパー１２２及び透明ディスプレイ１２４に対して適切な表示制御を行うことができる。ページを切り替えるような表示は電子ペーパーには適さない。従って、制御部１４０は、透明ディスプレイ１２４に表示を一旦全て切り替えてページ切り替えのアニメーションを透明ディスプレイ１２４に表示させる。ページを切り替える間、制御部１４０は、電子ペーパー１２２に対して、切り替え後のページを表示させる制御を行う。電子ペーパー１２２による新たなページの表示の準備が整ったら、制御部１４０は、情報の表示を透明ディスプレイ１２４から電子ペーパー１２２に切り替える。
【００８２】
制御部１４０がこのような表示制御を行うことで、表示装置１００は、表示部１２０においてページ切り替えのアニメーション表示が可能になるとともに、ページ切り替え後は電子ペーパー１２２による表示に切り替えることで消費電力を抑えた情報の表示が可能となる。
【００８３】
また例えば、制御部１４０は、透明ディスプレイ１２４に情報が表示されていない領域において、当該領域全体の輝度を落として表示する制御を行ってもよい。この透明ディスプレイ１２４に情報が表示されていない領域において、当該領域全体の輝度を落として表示する制御は、例えば、輝度そのものを落とす制御、輝度を時間的に変化させることで単位時間当たりの輝度を落とす制御、領域の一部に対して輝度を落とす制御などであってもよい。領域の一部に対して輝度を落とす制御は、例えば、領域の一部のドットの輝度を落とす制御であってもよく、領域の一部のライン全体の輝度を落とす制御であってもよい。制御部１４０が、透明ディスプレイ１２４に情報が表示されていない領域において、当該領域全体の輝度を落として表示する制御を行うことによって、本実施形態に係る表示装置１００は、電子ペーパー１２２の視認性を高めるという効果が生じる。
【００８４】
＜２．まとめ＞
以上説明したように本開示の一実施形態にかかる表示装置１００は、情報を表示する表示部１２０として、反射型のシート状の表示デバイスである電子ペーパー１２２と、ディスプレイの背面側が透けて見える表示デバイスである透明ディスプレイ１２４とが重ねられた構成を有する。
【００８５】
そして、電子ペーパー１２２及び透明ディスプレイ１２４に対して、制御部１４０は所定の表示制御を実行する。この所定の表示制御は、文字情報や静止画像のように、高い書き換え応答性が求められない情報は、透明ディスプレイ１２４と比較して書き換え応答性の低い電子ペーパー１２２に、動画像や、ＯＳＫのようなＧＵＩのように、高い書き換え応答性が求められる情報は、電子ペーパー１２２より格段に書き換え応答性の高い透明ディスプレイ１２４に、それぞれ表示するような制御である。このように、情報の表示を電子ペーパー１２２及び透明ディスプレイ１２４で分担させることで、本開示の一実施形態にかかる表示装置１００は、情報を全て透明ディスプレイ１２４で表示させた場合と比較して、情報の表示の際の消費電力を抑えつつ、電子ペーパー１２２だけでは困難であった情報の表示を可能とする。
【００８６】
動画像や、ＯＳＫのようなＧＵＩのように、高い書き換え応答性が求められる情報を透明ディスプレイ１２４に表示する際には、制御部１４０は、当該情報が表示される領域に対応する電子ペーパー１２２の領域を、黒表示、または暗色表示するように電子ペーパー１２２の表示を制御する。このように制御部１４０が表示制御することで、本開示の一実施形態にかかる表示装置１００は、その特性上、黒色の表示が困難である透明ディスプレイ１２４の弱点を補い、表示部１２０全体として高コントラストの情報を表示することができる。
【００８７】
また、電子ペーパー１２２及び透明ディスプレイ１２４の、対応する同一の領域に、同一の、または異なる情報を表示する場合には、制御部１４０は、電子ペーパー１２２に情報が表示されていることを前提とした表示制御（色制御や輝度制御）を透明ディスプレイ１２４に対して実行する。このように制御部１４０が表示制御することで、本開示の一実施形態にかかる表示装置１００は、ユーザに対して違和感なく情報を表示することができる。
【００８８】
上記の実施形態はタブレット型の表示装置１００を例に挙げて説明したが、本技術が適用される装置はこれに限定されない。例えば、携帯電話機、ＰＤＡ（Ｐｅｒｓｏｎａｌ  Ｄｉｇｉｔａｌ  Ａｓｓｉｓｔａｎｔｓ；携帯情報端末）、ゲーム機、電子辞書その他の表示装置でも同様に本技術を適用できる。
【００８９】
また、上記の実施形態のフローチャートに示されたステップは、記載された順序に沿って時系列的に行われる処理はもちろん、必ずしも時系列的に処理されなくとも、並列的に又は個別的に実行される処理をも含む。また時系列的に処理されるステップでも、場合によっては適宜順序を変更することが可能であることは言うまでもない。
【００９０】
また、明細書中において説明した一連の処理は、ハードウェア、またはソフトウェア、あるいはハードウェアとソフトウェアとの複合構成によって実行するようにしてもよい。ソフトウェアによる処理を実行する場合は、処理シーケンスを記録したプログラムを、専用のハードウェアに組み込まれたコンピュータのメモリにインストールして実行させるか、または、各種処理が実行可能な汎用コンピュータにプログラムをインストールして実行させるようにしてもよい。
【００９１】
以上、添付図面を参照しながら本開示の好適な実施形態について詳細に説明したが、本開示はかかる例に限定されない。本開示の属する技術の分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【００９２】
なお、本技術は以下のような構成も取ることができる。
（１）
反射型の第１表示部材及び前記第１表示部材の表示面に重畳して設けられる、前記第１表示部材と比較して書き換え応答性が高い、前記第１表示部材の表示を透過可能な自発光型の第２表示部材の表示を制御する表示制御部を備え、
前記表示制御部は、所定の情報を前記第１表示部材及び前記第２表示部材へ表示する際に、前記第２表示部材が情報を表示する領域に対応する領域で前記第１表示部材に対して、または前記第１表示部材が情報を表示する領域に対応する領域で前記第２表示部材に対して所定の表示制御を行う、表示制御装置。
（２）
前記表示制御部は、前記第１表示部材に対する所定の表示制御として、前記第２表示部材が情報を表示する領域に対応する領域で前記第１表示部材を所定の反射状態より低い状態で表示する制御を行う、前記（１）に記載の表示制御装置。
（３）
前記表示制御部は、前記第２表示部材に対する所定の表示制御として、前記第２表示部材が情報を表示する領域に対応する領域で前記第１部材に表示されている情報に基づいて表示制御を行う、前記（１）または（２）に記載の表示制御装置。
（４）
前記表示制御部は、前記第２表示部材が情報を表示する領域と、当該領域に対応する前記第１部材が情報を表示する領域とで同一の情報が表示されていることに基づいて、前記第２表示部材に対して表示制御を行う、前記（３）に記載の表示制御装置。
（５）
前記表示制御部は、前記第２表示部材が情報を表示する領域と、当該領域に対応する前記第１部材が情報を表示する領域とで異なる情報が表示されていることに基づいて、前記第２表示部材に対して表示制御を行う、前記（３）に記載の表示制御装置。
（６）
前記表示制御部は、前記第２表示部材に対する所定の表示制御として、前記第２部材に情報が表示されていない領域に対応する領域全体の輝度を落として表示する制御を行う、前記（１）から（５）のいずれかに記載の表示制御装置。
（７）
前記表示制御部は、前記第２表示部材に対する所定の表示制御として、前記第１部材へ情報を表示する際に前記第１部材の情報の書き換えが完了する時間に応じて輝度を下げていく輝度制御を行う、前記（１）から（６）のいずれかに記載の表示制御装置。
（８）
前記対応する領域は、前記第１表示部材及び前記第２表示部材が重畳した状態で前記第１表示部材及び前記第２表示部材を垂直に見た際に互いに重なっている領域を有する、前記（１）から（７）のいずれかに記載の表示制御装置。
（９）
前記第１表示部材と前記第２表示部材とは同じ大きさを有する、前記（１）から（８）のいずれかにに記載の表示制御装置。
（１０）
反射型の第１表示部材及び前記第１表示部材の表示面に重畳して設けられる、前記第１表示部材と比較して書き換え応答性が高い、前記第１表示部材の表示を透過可能な自発光型の第２表示部材の表示を制御する表示制御ステップを備え、
前記表示制御ステップは、所定の情報を前記第２表示部材へ表示させる際に、前記第２表示部材が情報を表示する領域に対応する領域で前記第１表示部材に対して所定の表示制御を行う、表示制御方法。
（１１）
コンピュータに、反射型の第１表示部材及び前記第１表示部材の表示面に重畳して設けられる、前記第１表示部材と比較して書き換え応答性が高い、前記第１表示部材の表示を透過可能な自発光型の第２表示部材を備える表示装置に対して所定の情報を前記第２表示部材へ表示させる際に、前記第２表示部材が情報を表示する領域に対応する領域で前記第１表示部材に対して所定の表示制御を行う表示制御ステップを実行させる、コンピュータプログラム。
【符号の説明】
【００９３】
１００    表示装置
１２０    表示部
１２２    電子ペーパー
１２４    透明ディスプレイ
１３０    音声出力部
１４０    制御部
１５０    記憶部
１６０    操作部
１７０    通信部
【図１】
2013015779.tif 000003
【図２】
2013015779.tif 000004
【図３】
2013015779.tif 000005
【図４】
2013015779.tif 000006
【図５】
2013015779.tif 000007
【図６Ａ】
2013015779.tif 000008
【図６Ｂ】
2013015779.tif 000009
【図７】
2013015779.tif 000010
【図８】
2013015779.tif 000011
【図９Ａ】
2013015779.tif 000012
【図９Ｂ】
2013015779.tif 000013
【図１０Ａ】
2013015779.tif 000014
【図１０Ｂ】
2013015779.tif 000015
【図１１】
2013015779.tif 000016